(57)【要約】【課題】  モバイルツールによる画像情報の伝達を可能にした情報伝達方法を提供する。【解決手段】  インターネットのサーバ３が記憶する画像を送信側の携帯電話機１のディスプレイ７上に呼び出して所定の送信画像Ａを作成し、これをサーバ３に記憶させるとともに、サーバ３より受信側の携帯電話機２に配送し、受信側の着信Ｆに加工を加えて返信を行う。サーバ３の記憶容量を利用して送信画像Ａお呼び返信画像Ｇを作成し、サーバ３を介してこれを配送するため、記憶容量を増やすことなく携帯電話機からの画像情報の伝達が可能になる。【特許請求の範囲】
【請求項１】
送信端末と受信端末の間でインターネットを介して情報を伝達する情報伝達方法において、
前記送信端末が、前記送信端末より前記受信端末へ送信する送信画像のパーツとなる前記インターネットのサーバに記憶されている画像を前記送信端末から選択して前記送信端末に読み出すステップと、
前記送信端末が、前記送信端末のディスプレイ上で、前記サーバから前記送信端末により選択して読み出された前記画像を組み合せることにより前記送信画像を作成するステップと、
前記送信端末が、前記送信画像を前記インターネットのサーバに記憶させるステップと、
前記インターネットのサーバが、前記インターネットのサーバに記憶された前記送信画像を前記受信端末に配送するステップと、
前記受信端末が、配送された前記送信画像を前記受信端末のディスプレイ上に表示するステップと、
前記受信端末が、前記ディスプレイ上に表示された前記送信画像に付されたメッセージに従ってリアクション項目を選択することで、前記インターネットのサーバより前記リアクション項目に対応した前記画像を読み出して前記送信画像の一部を修正することにより着信表示に加工を加えて返信画像を作成するステップとを含み、
前記送信端末と前記受信端末の間で情報を伝達するステップは、前記送信端末と前記受信端末の少なくとも１つの端末に携帯電話機等のモバイルツールを使用して行われることを特徴とする情報伝達方法。
【請求項２】
前記返信画像は、前記インターネットのサーバに保存され、前記サーバを介して前記送信端末へ前記返信画像が送信されることを特徴とする請求項１記載の情報伝達方法。
【発明の詳細な説明】
【技術分野】
【０００１】
本発明は、情報伝達方法に関し、特に、携帯電話機等のモバイルツールのｉモードより画像情報及び容量の大きい文字データを含んだ送信情報を伝達することのできる情報伝達方法に関する。
【背景技術】
【０００２】
小型化および多機能化など、近年の携帯電話機の発展には著しいものがあり、特に、インターネットを利用して文字情報の伝達を行うことのできるいわゆるｉモードの普及は、携帯電話機およびインターネットの将来に大きな可能性を持たせている。例えば、特許文献１には、サーバ上の画像を選択して電子メールに添付して送信する構成が開示され、特許文献２には、アニメーション作成のためのパーツの選択、切り替え等の命令を記述するスクリプトの入力手段、その実行手段、及びスクリプトの組合せを規定するマクロ登録手段を備えたアニメーション作成装置が開示されている。
【特許文献１】特開２０００−９２１１５号公報
【特許文献２】特開平９−３０５７８７号公報
【発明の開示】
【発明が解決しようとする課題】
【０００３】
しかし、従来のｉモードの携帯電話機によると、送信できるのは限られた容量の文字情報に限られ、これに画像情報を添付して送信することは不可能である。これは、携帯電話機のメモリの記憶容量の限界からくるもので、ｉモードの可能性を制約している。一方、携帯電話機のメモリの記憶容量を大きくすると、携帯態電話機の大型化を招くために好ましくない。
【０００４】
従って、本発明の目的は、モバイルツールの記憶容量の増大を図ることなく、画像情報及び容量の大きい文字データを含んだ送信情報の伝達を可能にした情報伝達方法を提供することにある。
【課題を解決するための手段】
【０００５】
本発明は、上記の目的を達成するため、送信端末と受信端末の間でインターネットを介して情報を伝達する情報伝達方法において、前記送信端末が、前記送信端末より前記受信端末へ送信する送信画像のパーツとなる前記インターネットのサーバに記憶されている画像を前記送信端末から選択して前記送信端末に読み出すステップと、前記送信端末が、前記送信端末のディスプレイ上で、前記サーバから前記送信端末により選択して読み出された前記画像を組み合せることにより前記送信画像を作成するステップと、前記送信端末が、前記送信画像を前記インターネットのサーバに記憶させるステップと、前記インターネットのサーバが、前記インターネットのサーバに記憶された前記送信画像を前記受信端末に配送するステップと、前記受信端末が、配送された前記送信画像を前記受信端末のディスプレイ上に表示するステップと、前記受信端末が、前記ディスプレイ上に表示された前記送信画像に付されたメッセージに従ってリアクション項目を選択することで、前記インターネットのサーバより前記リアクション項目に対応した前記画像を読み出して前記送信画像の一部を修正することにより返信画像を作成するステップとを含み、前記送信端末と前記受信端末の間で情報を伝達するステップは、前記送信端末と前記受信端末の少なくとも１つの端末に携帯電話機等のモバイルツールを使用して行われることを特徴とする情報伝達方法を提供するものである。また、前記返信画像は、前記インターネットのサーバに保存され、前記サーバを介して前記送信端末へ前記返信画像が送信されるものであってもよい。また、本発明は、上記の目的を達成するため、送信端末と受信端末の間でインターネットを介して情報を伝達する情報伝達方法において、前記インターネットのサーバに前記送信端末より前記受信端末へ送信する送信データのパーツとなるデータを記憶させるステップと、前記送信端末のディスプレイ上で前記データを利用して前記送信データを作成するステップと、前記送信データを前記インターネットのサーバに記憶させるステップと、前記インターネットのサーバに記憶された前記送信データを前記受信端末に配送するステップと、配送された前記送信データを前記受信端末のディスプレイ上に表示するステップを含み、前記送信端末と前記受信端末の間で情報を伝達するステップは、前記送信端末と前記受信端末の少なくとも１つの端末に携帯電話機等のモバイルツールを使用して行われることを特徴とするものであってもよい。また、本発明は、上記の目的を達成するため、送信端末と受信端末の間でインターネットを介して情報を伝達する情報伝達方法において、前記インターネットのサーバに前記送信端末より前記受信端末へ送信する送信画像のパーツとなる画像を記憶させるステップと、前記送信端末のディスプレイ上で前記画像を利用して前記送信画像を作成するステップと、前記送信画像を前記インターネットのサーバに記憶させるステップと、前記インターネットのサーバに記憶された前記送信画像を前記受信端末に配送するステップと、配送された前記送信画像を前記受信端末のディスプレイ上に表示するステップを含み、前記送信端末と前記受信端末の間で情報を伝達するステップは、前記送信端末と前記受信端末の少なくとも１つの端末に携帯電話機等のモバイルツールを使用して行われることを特徴とするものであってもよい。また、前記送信画像を作成するステップは、前記インターネットのサーバより異なった複数の前記画像を読み出して前記送信端末のディスプレイ上で合成することによって行われるものでもよい。また、前記送信画像を作成するステップは、前記送信画像に前記受信端末へ送信される文字情報を付加して行われるものでもよい。また、前記情報を伝達するステップは、前記送信端末および前記受信端末として携帯電話機等のモバイルツールを使用して行われるものでもよい。また、前記モバイルツールを使用して情報を伝達するステップは、前記受信端末としての前記モバイルツールが前記送信画像をディスプレイ上に表示しないとき、前記送信端末としての前記モバイルツールから前記受信端末としての前記モバイルツールへ電話回線を介してディスプレイ上への表示を促す電話メッセージを送信するものでもよい。また、前記送信画像を前記受信端末のディスプレイ上に表示するステップは、前記インターネットのサーバより前記画像を読み出して前記送信画像の一部を修正することにより返信画像を作成するステップを含むものでもよい。
【発明の効果】
【０００６】
本発明によれば、インターネットが備えるサーバの記憶容量を利用して送信データあるいは送信画像を作成するための部分データあるいは部分画像をストアし、この部分データあるいは部分画像を合成した送信データあるいは送信画像をサーバを介して相手側に送信することで情報伝達が行われるため、モバイルツールのメモリの記憶容量を増やすことなくデータあるいは画像情報の作成と伝達が可能になる。従って、モバイルツールに要求される記憶容量は、作成された送信データあるいは送信画像をディスプレイ上に表示する程度のものでよく、ツールの大型化を招くようなことがない。
【０００７】
送信画像は、サーバが記憶している部分画像同士を組み合わせることによって作成するのが普通であるが、サーバが記憶している完成画像を呼び出して単に指定するだけでもよく、あるいは完成画像をサーバより呼び出した後、この画像の所定の部分をサーバより呼び出した部分画像で置き換えることによって作成してもよい。
【０００８】
サーバを介した送信は、単数あるいは複数のいずれを対象に行ってもよい。送信しようとする画像、または送信された画像をファイルの形でサーバに保存したり、あるいは送信された画像を受信側とサーバ間のやり取りによって修正し、これを送信側に返信することも可能である。また、送信相手のツールは、必ずしも携帯電話機とは限らず、パソコンのホームページであってもよい。
【発明を実施するための最良の形態】
【０００９】
次に、本発明による情報伝達方法の実施の形態を説明する。図１の実施の形態は、顔のモンタージュを作成し、これを画像情報として送信する例を示したものである。送信側が、サーバに記憶されている種々の顔のパーツより所定のパーツを選択し、これを携帯電話機のディスプレイ上で組み合わることによって自分のモンタージュを作成し、作成したモンタージュをメッセージとともにサーバに記憶させ、これをサーバより受信側の携帯電話機に配送するものである。
【００１０】
図１の（ａ）において、１は送信側の携帯電話機、２は受信側の携帯電話機、３はこれらがアクセスするインターネットのサーバ、４は電話基地局を示す。携帯電話機１および２は、作成された、あるいは送信されたモンタージュを表示するだけの小容量のメモリ（図示せず）を有している。また、サーバ３は、部分画像、たとえば、顔のパーツを記憶する領域ａと、作成された完成像、たとえば、顔のモンタージュを送受信者の各自別に記憶する個有の領域ｂを有している。
【００１１】
図１の（ｂ）は、モンタージュの作成と送信手順を示す。まず、送信側において送信者の顔のモンタージュ（以下、図には「顔モン」と表示）５が作成される。  このモンタージュ５の作成は、髪形、眉毛、目など顔の各パーツ別にサーバ３の領域ａが記憶する様々な形の中から最適と思われるものを選択することによって行われる。
【００１２】
パーツの選択は、送信側の携帯電話機１のキーボード６の操作によって行われ、選択されたパーツは、ディスプレイ６上において互いに合成され、所定のモンタージュ５となる。図２は、モンタージュ５を作成するためのＧＩＦ画像における画素例を示したもので、（ａ）に示されるように髪形、眉毛、目、鼻、口および輪郭の６要素が図示されるピクセル値のもとに構成され、これらが（ｂ）のように合成されることによってモンタージュ５が作成される。
【００１３】
図１の（ｂ）において、モンタージュ５が完了すると、次に、サーバ３が記憶している各種の行事画よりクリスマス画８等が呼び出されて付加され、さらに、キーボード６よりメッセージ９が入力されてＡのカードが作成される。以上によりカード作成が完了すると、ディスプレイ７上に、カード作成完了を告げる表示とメールアドレスの入力指示がＢのように表示され、これに対応して所定のキー操作を行うと、メール送信Ｃが行われる。メールの内容は、サーバ３に記憶されるとともに、サーバ３より受信側の携帯電話機２に配送される。
【００１４】
携帯電話機２に着信報知があり、受信者がこれに対応してメールを開封すると、ディスプレイ１０上に受信Ｄが表示され、表示されたアドレスにアクセスすることによってＥが表示され、これにより画像と文字情報の伝達が完了する。なお、受信側がメールを開封しない場合には、電話基地局４を介した電話連絡がとられ、受信者によるメールの開封を促すことができる。
【００１５】
図３は、図１の実施の形態に受信側よりの返信を織り込んだ実施の形態を示す。  受信側（返信側）のディスプレイ１０上に表示された着信Ｆに加工を加えて返信を行う例である。Ｆの受信は、携帯電話機２のｉモードによって行われるのが普通であるが、パソコンのホームページによっても受信可能である。
【００１６】
Ｆに付されたメッセージ１２にしたがってリアクション１３の項目を選択すると、ｉモードの場合には、Ｇの画面が表示される。次いで、サーバ３とのやり取りによってカードを作成し、必要によりアルバム保存Ｈを図１の（ａ）のサーバ３の領域ｂに行った後、これをサーバ３を介して返信を受ける側に送信する。返信を受ける側の携帯電話機１には、Ｉの受信が表示され、これに応じることによってＪの表示が行われる。
【００１７】
一方、Ｆの受信がパソコンによって行われた場合には、Ｆのリアクション１３の項目をクリックすると、ディスプレイにＫが表示され、ｉモード専用サイトによるモンタージュの作成メンバーへの加入を勧誘する説明が行われる。この場合、着信Ｆに相手側のアドレスが入力されていれば、ｉモードにおけるＧ〜Ｊと同様の手順を経て返信を行うことが可能である。以上の実施の形態では、インターネットのサーバを利用して画像情報、即ち、「顔モン」の作成、及びその送受信を説明したが、画像情報に限らず、容量の大きな文字データの作成、及びその送受信を行っても良い。例えば、ＡさんがＢさんから受信した容量の大きな文字データを含んだメールを受信してインターネットのサーバに保存し、その一部をＡさんの携帯電話機のディスプレイ上に表示し、それを加工してサーバに保存されている残りの部分と一緒にしてＣさんに転送しても良い。このようにして、携帯電話機のメモリの記憶容量を越えた容量の文字データを送受信することができる。
【００１８】
以上説明したように、本発明による情報伝達方法によれば、インターネットのサーバに記憶されているデータあるいは画像を送信端末のディスプレイ上に呼び出して送信データあるいは送信画像を作成し、作成した送信データあるいは送信画像をサーバに記憶させ、さらに、この送信データあるいは送信画像をサーバより配送することによって受信端末のディスプレイ上に表示するとともに、このときの送受信端末の少なくとも１つに携帯電話機等のモバイルツールを使用するため、メモリ容量を増やすことなくモバイルツールによるデータ送信あるいは画像送信が可能になる。
【図面の簡単な説明】
【００１９】
【図１】本発明による情報伝達方法の実施の形態を示す説明図であり、（ａ）は、送受信端末とサーバの関係を示す説明図、（ｂ）は、画像の作成と送信手順を示す説明図である。
【図２】モンタージュを作成するためのＧＩＦ画像における画素例を示したもので、（ａ）は顔の各パーツ、（ｂ）は各パーツの合成を示す。
【図３】本発明の他の実施の形態を示す説明図。
【符号の説明】
【００２０】
１、２    携帯電話機
３        サーバ
４        電話基地
５        モンタージュ
６、１１  キーボード
７、１０  ディスプレイ
【図１】
2005327294.tif 000002
【図２】
2005327294.tif 000003
【図３】
2005327294.tif 000004